(57)【要約】【課題】原水に取込み可能な空気量の上限値（天井）を抜本的に（３〜１０倍に）増高させること。装置の高さを大幅に短縮すること。【解決手段】本発明の空気吸入粉砕羽根付水質浄化処理装置には、吸気カバー１、吸水カバー２、ガイドカバー３、放水用羽根車４、及び放水用羽根車押え金具付空気吸入粉砕用羽根車７が含まれ、この空気吸入粉砕用羽根車７には、１個の放水用羽根車押え金具７ｗ、放水用羽根車押え金具７ｗ、及びその上面から上方に突出する複数個の空気吸入粉砕用羽根７ｆが含まれる。放水用羽根車４が回転すると、吸気孔からの空気は、気水攪拌用空間１Ｓにおいて、放水用羽根車押え金具付空気吸入粉砕用羽根車７の空気攪拌作用と空気粉砕作用とによって、吸水孔ｓからの原水と混合されて無数の気泡と成る。その結果、空気吸水量は、従来量の３〜５倍に達する。【選択図】　　　　図１
2004009042.tif 000002
【特許請求の範囲】
【請求項１】
吸気カバー（１）と、吸水カバー（２）と、ガイドカバー（３）と、放水用羽根車（４）と、モータ（６）と、放水用羽根車押え金具付空気吸入粉砕用羽根車（７）とが含まれ、
上記吸気カバー（１）の中央部には、下向きの吸気孔（ｉ）が穿設され、下半部には、大径の逆皿形凹部が形成され、
上記吸水カバー（２）は、環状壁体から成り、該環状壁体には、ｍ個（ｍ≧２）の吸水孔ｓ１，…，ｓｍが穿設され、
上記ガイドカバー（３）の中央部には、上記逆皿形凹部の直径と略同一の直径を有する、回転対称形空間が形成され、
上記吸気カバー（１）と、上記吸水カバー（２）と、上記ガイドカバー（３）とは、この順で一体的に連結され、
上記放水用羽根車（４）には、羽根車軸部（４１）と、羽根車円板部（４２）と、ｎ個（ｎ≧２）のマグネット（４Ｍ１，…，４Ｍｎ）と、ｐ個（ｐ≧２）の放水羽根（４Ｆ１，…，４Ｆｐ）とが含まれ、
上記羽根車軸部（４１）には、回転中心線に即して軸孔が形成され、
上記羽根車円板部（４２）は、上記上記羽根車軸部（４１）の基部の周囲に該基部と一体的に形成され、
上記各マグネット（４Ｍ１，…，４Ｍｎ）は、上記羽根車円板部（４２）の上面側に、対応する各半径線分と平行若しくは交叉関係を成すように配置・埋設され、
上記各放水羽根（４Ｆ１，…，４Ｆｐ）は、上記羽根車円板部（４２）の上面側に、対応する各半径線分と平行若しくは交叉関係を成すと共に上方に突出するように配置・固定され、
上記モータ（６）には、モータ本体（６１）と、該モータ本体（６１）の上方に延長されたモータ出力軸（６２）とが含まれ、
上記放水用羽根車押え金具付空気吸入粉砕用羽根車（７）には、１個の放水用羽根車押え金具（７ｗ）と、該放水用羽根車押え金具（７ｗ）の上面から上方に突出する複数個の空気吸入粉砕羽根（７ｆ１，７ｆ２，…）とが、含まれ、
上記モータ出力軸（６２）の周りには、上記放水用羽根車（４）が嵌合・固定され、先端部頂面には、上記放水用羽根車押え金具付空気吸入粉砕用羽根車（７）が固着され、
上記放水用羽根車押え金具（７ｗ）の上方には、上記吸気カバー（１）の下半部の逆皿形凹部をも含めた気水攪拌用空間（１Ｓ）が形成され、
上記ガイドカバー（３）の内周面と、上記羽根車軸部（４１）の外周面との間には、短円筒形の第１の間隙（ｇ１）が形成され、
上記羽根車円板部（４２）の上面と、上記ガイドカバー（３）の下面との間には、鍔（つば）形の第２の間隙（ｇ２）が形成されている、
空気吸入粉砕羽根付水質浄化処理装置。
【請求項２】
前記空気吸入粉砕羽根（７ｆ１，７ｆ２，…）の全部若しくは一部には、上端部に切欠きが、又は中位部に透孔が形成されて成る、
請求項１の空気吸入粉砕羽根付水質浄化処理装置。
【請求項３】
前記複数個の空気吸入粉砕羽根（７ｆ１，７ｆ２，…）は何れも、肉厚の板体から構成され、
上記各板体にはそれぞれ、前記羽根車軸部（４１）の外径よりも外方に位置する、張出し部（４ｂ）が含まれ、
上記各張出し部（４ｂ）の下半部には、斜め下向きの傾斜面（７ｆｓ）が形成され、
上記各傾斜面（７ｆｓ）は回転時に気泡と水を下方に押し放つことが出来る、
請求項１又は２の空気吸入粉砕羽根付水質浄化処理装置。
【請求項４】
前記羽根車軸部（４１）の外周面には、複数個の空気粉砕羽根（４ｓ，…）が立設されて成る、
請求項３の空気吸入粉砕羽根付水質浄化処理装置。
【請求項５】
吸気カバー（１）と、吸水カバー（２）と、ガイドカバー（３）と、放水用羽根車（４）と、モータ（６）と、複数個の空気吸入粉砕羽根（４ｉｓ１，４ｉｓ２，…）と、吸気管（ｄ）とが含まれ、
上記吸気カバー（１）の中央部には、貫通孔が穿設され、下半部には、大径の逆皿形凹部が形成され、
上記吸水カバー（２）は、環状壁体から成り、該環状壁体には、ｍ個（ｍ≧２）の吸水孔（ｓ１，…，ｓｍ）が穿設され、
上記ガイドカバー（３）の中央部には、上記逆皿形凹部の直径と略同一の直径を有する、回転対称形空間が形成され、
上記吸気カバー（１）と、上記吸水カバー（２）と、上記ガイドカバー（３）とは、この順で一体的に連結され、
上記放水用羽根車（４）には、羽根車軸部（４１）と、羽根車円板部（４２）と、ｎ個（ｎ≧２）のマグネット（４Ｍ１，…，４Ｍｎ）と、ｐ個（ｐ≧２）の放水羽根（４Ｆ１，…，４Ｆｐ）とが含まれ、
上記羽根車軸部（４１）には、回転中心線に即して軸孔が形成され、
上記羽根車円板部（４２）は、上記上記羽根車軸部（４１）の基部の周囲に該基部と一体的に形成され、
上記各マグネット（４Ｍ１，…，４Ｍｎ）は、上記羽根車円板部（４２）の上面側に、対応する各半径線分と平行若しくは交叉関係を成すように配置され、
上記各放水羽根（４Ｆ１，…，４Ｆｐ）は、上記羽根車円板部（４２）の上面側に、対応する各半径線分と平行若しくは交叉関係を成すと共に上方に突出するように配置され、
上記モータ（６）は、最上位に配置され、そこからモータ出力軸（６２）が下方に延長され、
上記吸気カバー（１）の逆皿形凹部及びその直近下位の空間部分には、両者を併合した気水攪拌用空間（１Ｓ）が形成され、
上記羽根車軸部（４１）は、上記吸気カバー１の中央部の貫通孔を貫通して、上記モータ出力軸（６２）の周りに嵌合・固定され、その外周面には、気水攪拌用空間（１Ｓ）に対応する位置に上記複数個の空気吸入粉砕羽根（４ｉｓ１，４ｉｓ２，…）が、回転方向斜め下向きに固着され、
上記ガイドカバー（３）の内周面と、上記羽根車軸部（４１）の外周面との間には、短円筒形の第１の間隙（ｇ１）が形成され、
上記羽根車円板部（４２）の上面と、上記ガイドカバー（３）の下面との間には、鍔（つば）形の第２の間隙（ｇ２）が形成されている、
空気吸入粉砕羽根付水質浄化処理装置。
【発明の詳細な説明】
【０００１】
【発明の属する技術分野】
この出願の発明は、湖沼、河川、運河等々における汚染した水質、又は工場跡地等の汚染された土質を浄化するための、水質浄化処理方法及び装置に関する。
【０００２】
【従来の技術】
この種の水質浄化処理方法及び装置としては、例えば図１２記載のものが公知である（特開平１１−１０４６１６号公報参照）。
図１２の水質浄化処理装置には、丈（たけ）高の有頂外郭筒ｃと、その下端部に固着された鍔（つば）形の導水板ｆと、外郭筒ｃの内部の内郭筒ｅと、導水板ｆの下方の散水板ｈと、内郭筒ｃ及び散水板ｈを回転自在に支承する回転軸ｊと、回転軸ｊを駆動する水中モータｋとが含まれ、
外郭筒ｃの上部周壁には吸水孔ｂが穿設され、頂壁には吸気孔が穿設され、この吸気孔には吸気管ａの一端が嵌合固着され、
散水板ｈには、１個の回転板ｈｄと、この回転板ｈｄから上方に突出する複数個の永久磁石ｈｍとが含まれ、
外郭筒ｃの内周面と、内郭筒ｅの外周面との間には、第１の間隙ｇ１が形成され、回転板ｈｄの上面と、導水板５の下面との間には、第２の間隙ｇ２が形成されている。
【０００３】
水中モータｋが回転し、それによって散水板ｈが回転し、回転羽根を兼ねる永久磁石ｈｍが回転すると、第２の間隙ｇ２の処理水（処理後の水）が，処理対象水域に散水される。それと同時に、外郭筒ｃの上部周壁の吸水孔ｂからは、処理対象水域の原水（処理前の水）が吸入され、外郭筒ｃの頂壁を貫通する吸気管ａからは、大気中の空気が吸入される。
吸気管ａから吸入された空気は、吸水孔ｂから吸入された原水中に取り込まれて無数の気泡となり、それらの気泡は、第１の間隙ｇ１を通過する間にも、当該間隙ｇ１において発生した乱流乃至渦流によって、分割され、微細化される。
第１の間隙ｇ１において微細化された気泡は、第２の間隙ｇ２において、回転羽根を兼ねる永久磁石ｈｍの機械的な作用によって、微細気泡が再分割されて、更に微細な気泡と成る。
同時に、処理水中の水分子は、回転する永久磁石ｈｍの磁界の作用によって、活性化される。その結果、水分子のクラスターはより小さくなり、従って微細気泡中の酸素がクラスター間に溶け込み易くなり、又、気泡が分割され易くなるということである。
【０００４】
【従来技術の問題点】
第１に、前記従来の水質浄化処理装置では、原水に取込み可能な空気量は、気水の接触面積に依存するため、同空気量には自ら上限値（天井）が存在する。
第２に、前記従来の水質浄化処理装置は、外郭筒ｃの丈（たけ）が高く、容積が大である。そのため、材料コストや加工コストの削減が容易ではなかった。
第３に、前記従来の水質浄化処理装置においては、外郭筒ｃが丈高で、回転軸ｊが長大なために、工作精度が十分でないときは、横ぶれ振動が発生し易く、それによって回転軸ｊに係るベアリングや、水中モータｋの寿命が、短縮される虞（おそれ）無しとしない。
【０００５】
【発明の目的】
それ故、この出願の発明の第１の目的は、原水に取込み可能な空気量の上限値（天井）を抜本的に（３〜１０倍に）増高させると共に、この増高を気泡の粗大化無しに、実現することにある。
第２の目的は、装置の高さを大幅に短縮し、以って材料コストや加工コストを大幅に削減することにある。
第３の目的は、外郭筒や回転軸の横振れ振動を抑制して、回転軸に係るベアリングや水中モータの寿命を延長することにある。
【０００６】
【目的を達成するための手段】
前記の諸問題を解消し、且つ前記の諸目的を達成するために、この出願の発明の第１の形態の空気吸入粉砕羽根付水質浄化処理装置には、
吸気カバー１と、吸水カバー２と、ガイドカバー３と、放水用羽根車４と、モータ６と、放水用羽根車押え金具付・空気吸入粉砕用羽根車７とが含まれ、
吸気カバー１の中央部には、下向きの吸気孔ｉが穿設され、下半部には、大径の逆皿形凹部が形成され、
吸水カバー２は、環状壁体から成り、該環状壁体には、ｍ個（ｍ≧２）の吸水孔ｓ１，…，ｓｍが穿設され、
ガイドカバー３の中央部には、逆皿形凹部の直径と略同一の直径を有する、回転対称形空間が形成され、
吸気カバー１と、吸水カバー２と、ガイドカバー３とは、この順で一体的に連結され、
放水用羽根車４には、羽根車軸部４１と、羽根車円板部４２と、ｎ個（ｎ≧２）のマグネット４Ｍ１，…，４Ｍｎと、ｐ個（ｐ≧２）の放水羽根４Ｆ１，…，４Ｆｐとが含まれ、
羽根車軸部４１には、回転中心線に即して軸孔が形成され、
羽根車円板部４２は、羽根車軸部４１の基部の周囲に該基部と一体的に形成され、
各マグネット４Ｍ１，…，４Ｍｎは、羽根車円板部４２の上面側に、対応する各半径線分と平行若しくは交叉関係を成すように配置・埋設され、
各放水羽根４Ｆ１，…，４Ｆｐは、羽根車円板部４２の上面側に、対応する各半径線分と平行若しくは交叉関係を成すと共に上方に突出するように配置・固定され、
モータ６には、モータ本体６１と、該モータ本体６１の上方に延長されたモータ出力軸６２とが含まれ、
放水用羽根車押え金具付空気吸入粉砕用羽根車７には、１個の放水用羽根車押え金具７ｗと、該放水用羽根車押え金具７ｗの上面から上方に突出する複数個の空気吸入粉砕用羽根７ｆ１，７ｆ２，…とが含まれ、
モータ出力軸６２の周りには、放水用羽根車４が嵌合・固定され、先端部頂面には、放水用羽根車押え金具付空気吸入粉砕用羽根車７が固着され、
放水用羽根車押え金具７ｗの上方には、吸気カバー１の下半部の逆皿形凹部をも含めた気水攪拌用空間１Ｓが形成され、
ガイドカバー３の内周面と、羽根車軸部４１の外周面との間には、短円筒形の第１の間隙ｇ１が形成され、
羽根車円板部４２の上面と、ガイドカバー３の下面との間には、鍔（つば）形の第２の間隙ｇ２が形成されて成る、
ものである。
【０００７】
この出願の発明の第２の形態の空気吸入粉砕羽根付水質浄化処理装置は、
前記第１の形態の空気吸入粉砕羽根付水質浄化処理装置において、
前記空気吸入粉砕羽根７ｆ１，７ｆ２，…の全部若しくは一部の上端部に切欠きが、又は中位部に透孔が形成されて成る、
ものである。（第１の形態では、切欠きや透孔は未形成であった）。
【０００８】
この出願の発明の第３の形態の空気吸入粉砕羽根付水質浄化処理装置は、
前記第１又は第２の形態の空気吸入粉砕羽根付水質浄化処理装置において、
前記多数の空気吸入粉砕羽根７ｆ１，７ｆ２，…は何れも、肉厚の板体から構成され、
上記各板体には、前記羽根車軸部４１の外径よりも外方に位置する、張出し部４ｂが含まれ、
各張出し部４ｂの下半部には、斜め下向きの傾斜面７ｆｓが形成され、
各傾斜面７ｆｓは、回転時に、ぶつかった気泡と水を下方に強く押し放つことが出来る、
ものである。
【０００９】
この出願の発明の第４の形態の空気吸入粉砕羽根付水質浄化処理装置は、
前記第３の形態の空気吸入粉砕羽根付水質浄化処理装置において、
前記羽根車軸部４１の外周面には、複数個の空気粉砕羽根４ｓ，…が立設されて成る、
ものである。
【００１０】
この出願の発明の第５の形態の空気吸入粉砕羽根付水質浄化処理装置には、
吸気カバー１と、吸水カバー２と、ガイドカバー３と、放水用羽根車４と、モータ６と、複数個の空気吸入粉砕羽根４ｉｓ１，４ｉｓ２，…と、吸気管ｄとが含まれ、
吸気カバー１の中央部には、貫通孔が穿設され、下半部には、大径の逆皿形凹部が形成され、
吸水カバー２は、環状壁体から成り、該環状壁体には、ｍ個（ｍ≧２）の吸水孔ｓ１，…，ｓｍが穿設され、
ガイドカバー３の中央部には、逆皿形凹部の直径と略同一の直径を有する、回転対称形空間が形成され、
吸気カバー１と、吸水カバー２と、ガイドカバー３とは、この順で一体的に連結され、
放水用羽根車４には、羽根車軸部４１と、羽根車円板部４２と、ｎ個（ｎ≧２）のマグネット４Ｍ１，…，４Ｍｎと、ｐ個（ｐ≧２）の放水羽根４Ｆ１，…，４Ｆｐとが含まれ、
羽根車軸部４１には、回転中心線に即して軸孔が形成され、
羽根車円板部４２は、羽根車軸部４１の基部の周囲に該基部と一体的に形成され、
各マグネット４Ｍ１，…，４Ｍｎは、羽根車円板部４２の上面側に、対応する各半径線分と平行若しくは交叉関係を成すように配置され、
各放水羽根４Ｆ１，…，４Ｆｐは、羽根車円板部４２の上面側に、対応する各半径線分と平行若しくは交叉関係を成すと共に上方に突出するように配置され、モータ６には、モータ本体６１と、該モータ本体６１の下方に延長されたモータ出力軸６２とが含まれ、
吸気カバー１の逆皿形凹部及びその直近下位の空間部分には、両者を併合した気水攪拌用空間１Ｓが形成され、
上記羽根車軸部４１は、上記吸気カバー１の中央部の貫通孔を貫通して、上記モータ出力軸６２の周りに嵌合・固定され、その外周面には、気水攪拌用空間１Ｓに対応する位置に上記複数個の空気吸入粉砕羽根４ｉｓ１，４ｉｓ２，…が、回転方向斜め下向きに固着され、
ガイドカバー３の内周面と、羽根車軸部４１の外周面との間には、短円筒形の第１の間隙ｇ１が形成され、
羽根車円板部４２の上面と、ガイドカバー３の下面との間には、鍔つば形の第２の間隙ｇ２が形成されている、
ものである。
【００１１】
【発明の実施の形態】
〔第１の実施の形態〕
この出願の発明の第１の実施の形態の、空気吸入粉砕羽根付水質浄化処理装置について、詳細に説明する。
図１は、第１の実施の形態の、空気吸入粉砕羽根付水質浄化処理装置の模式的な縦断面図であり、図２は、その模式的な平面図である。
図３は、第１の実施の形態に使用される放水用羽根車押え金具付空気吸入粉砕用羽根車の模式的な平面図、図４は、同実施の形態に使用される放水用羽根車の一の例の模式的な平面図である。
但し、この実施の形態では、切欠き、透孔及び３Ｍは未だ規定されない。（切欠き及び透孔は第２の実施の形態で規定され、３Ｍは第３の実施の形態で規定される）。
図１〜２において、１は吸気カバー、２は吸水カバー、３はガイドカバー、４は放水用羽根車、５はモータベース、６はモータ、７は放水用羽根車押え金具付空気吸入粉砕用羽根車である。
【００１２】
吸気カバー１の中央部には、下向きの吸気孔ｉが穿設される。吸気孔ｉには、吸気管ｄの下端部が嵌合、固着される。吸気カバー１の下半部には、大径の逆皿形凹部が形成される。
吸気カバー１の主要部の外形は、図２の如く、円形を成すが、その周囲には、正方形のフランジＦを張り出すことが出来る。図２では、張り出されたフランジＦの一辺の長さは、主要部の外周の直径と略同一であるが、一般には、前者は後者よりも大である。
吸水カバー２は、環状壁体から成る。図２では、環状壁体の内壁の位置が、破線によって示されている。この環状壁体には、３個の吸水孔ｓ１，ｓ２，ｓ３が穿設されているが、一般には、ｍ個（ｍ≧２）の吸水孔ｓ１，…，ｓｍが穿設される。
【００１３】
処理対象水域の原水は、吸水カバー２の各吸水孔ｓ１，…，ｓｍから、その内部に吸入される。
なお、吸気カバー１と吸水カバー２とは、図１〜２の如く、一体的に形成しても良い。
ガイドカバー３の主要部の外形は、吸水カバー１と同様に、円形を成すが、その周囲には、正方形のフランジを張り出すことが出来る。その中央部には、図１の如く、回転対称形空間が形成される。該回転対称形空間の直径は、上記逆皿形凹部の直径と略同一の直径を有する。
吸気カバー１と、吸水カバー２と、ガイドカバー３とは、この順で一体的に連結される。
なお、吸気カバー１のフランジ及びガイドカバー３のフランジは、何れか一方を省略することが出来る。
【００１４】
図４の放水用羽根車４には、羽根車軸部４１と、羽根車円板部４２と、４個のマグネット４Ｍ１，…，４Ｍ４と、４個の放水羽根４Ｆ１，…，４Ｆ４とが含まれる。
羽根車軸部４１には、回転中心線に即して軸孔が形成され、羽根車円板部４２は、図１の如く羽根車軸部４１の基部の周囲に、該基部と一体に形成される。
【００１５】
図４の羽根車円板部４２の上面側には、四つの半径線分、即ち、極座標系の０度、９０度、１８０度、２７０度の半径線分（一点鎖線参照）に即して、四つの長溝が形成され、四つの長溝にはそれぞれ、四つの棒状のマグネット４Ｍ１，４Ｍ２，４Ｍ３，４Ｍ４が配置され、埋設される。
そして、各放水羽根４Ｆ１，４Ｆ２，４Ｆ３，４Ｆ４はそれぞれ、図示の如く対応する各マグネット４Ｍ１，４Ｍ２，４Ｍ３，４Ｍ４と一体的に形成されると共に、羽根車円板部４２の上表面から上方に突出せしめられる。
しかし、四つのマグネット４Ｍ１，４Ｍ２，４Ｍ３，４Ｍ４と、四つの放水羽根４Ｆ１，…，４Ｆ４とは、相異なる形状（例えば円盤状と棒状）にすることも出来るし、互いに別体に構成し且つ離隔した位置に配設することも出来る。
一般に、マグネットの個数はｎ個（ｎ≧２）とし、放水羽根の個数はｐ個（ｐ≧２）とすることが出来る。その際、個数ｎと個数ｐとは、非同一であっても差し支えはない。
各マグネット４Ｍ１，…，４Ｍ４は、好ましくは、鉛直方向に着磁される。
【００１６】
更に、各マグネット４Ｍ１，…，４Ｍｎは、対応する各半径線分（一点鎖線参照）と交叉関係を成すように配置することも出来る（無図示）。
各放水羽根４Ｆ１，…，４Ｆｐは、非磁性材料を用いて、各マグネット４Ｍ１，…，４Ｍ４とは別体に構成することも出来る（無図示）。そのとき、各放水羽根４Ｆ１，…，４Ｆｐは、各マグネット４Ｍ１，…，４Ｍ４から離隔した位置に配設することも出来る（無図示）。各放水羽根４Ｆ１，…，４Ｆｐはそれぞれ、対応する各半径線分とは交叉関係を成すように配置することも出来る。
【００１７】
図５は、第１の実施の形態に使用される放水用羽根車の他の例の模式的な平面図である。
図５の放水用羽根車４には、羽根車軸部４１と、羽根車円板部４２と、鍔（つば）形の磁性部材４ＭＭと、４個のマグネット４Ｍ１，…，４Ｍ４と、４個の放水羽根４Ｆ１，…，４Ｆ４とが含まれる。
各マグネット４Ｍ１，…，４Ｍ４は、鍔形の磁性部材４ＭＭに、局所的に着磁させることによって、形成される。
なお、図５の磁性部材４ＭＭは、破線０及び０′の如く分割して２分割構成とすることも出来るし、４分割構成とすることも出来る。一般に、ｎ分割構成とすることも出来る。
図５の放水用羽根車のその余の事項は、図４の放水用羽根車と同様である。
モータ６には、モータ本体６１と、モータ出力軸６２とが含まれる。
【００１８】
図３の放水用羽根車押え金具付空気吸入粉砕用羽根車７には、１個の放水用羽根車押え金具７ｗと、該放水用羽根車押え金具７ｗの上面から上方に突出する２個の空気吸入粉砕羽根７ｆ１，７ｆ２とが含まれる。
一般に、空気吸入粉砕羽根７ｆの個数は、２以上とすることが出来る。
（但し、第１の実施の形態の空気吸入粉砕羽根７ｆ１及び７ｆ２には、切欠き及び透孔は無いものとする。それらは、後述する第２の実施の形態に譲る）。
【００１９】
モータ出力軸６２の周りには、放水用羽根車４が、図１〜２の如く嵌合・固定され、先端部頂面には、放水用羽根車押え金具付空気吸入粉砕用羽根車７が固着される。
放水用羽根車押え金具７ｗの上方には、吸気カバー１の下半部の逆皿形凹部を含めた気水攪拌用空間１Ｓが形成される。
ガイドカバー３の内周面と、羽根車軸部４１の外周面との間には、短円筒形の第１の間隙ｇ１が形成される。
羽根車円板部４２の上面と、ガイドカバー３の下面との間には、鍔（つば）形の第２の間隙ｇ２が形成される。
【００２０】
モータベース５は、図２に示す吸気カバー１の正方形のフランジ部Ｆと同形である。その中心部には、貫通孔が穿設される。
モータ本体６１は、モータベース５の下面に、強固に固定される。モータ出力軸６２は、上記貫通孔を上方に向かって貫通する。
吸気カバー１、吸水カバー２及びガイドカバー３は、適宜の固着手段（例えばボルトＢ）により、モータベース５に対して、強固に固定される。
図２には、ボルトＢの上端部を図示したが、図１では、図面を簡単化するために、ボルトＢを省略してある。
【００２１】
図１は、理解の便を優先して作図したから、実際の製品の各部寸法関係を、正確に反映しているわけではない。
そこで、第１の実施の形態に係る、実際の空気吸入粉砕羽根付水質浄化処理装置の構成部材の寸法の一例を、以下に掲記する。
吸気カバー１乃至放水用羽根車４の直径は、約１８０ｍｍである。
そして、吸気カバー１の高さは約３０ｍｍ（内逆皿形凹部の高さは１０〜１５ｍｍ）、吸水カバー２の高さは約７ｍｍ、ガイドカバー３の高さは約１７ｍｍ、第２の間隙ｇ２の高さは３ｍｍ（内放水羽根４Ｆの高さは約２ｍｍ、放水羽根４Ｆとガイドカバー３との間隔は１ｍｍ以下である。）、放水用羽根車４の高さは１７ｍｍ（内マグネット４Ｍの高さは約１０ｍｍ）であり、それらの高さの合計は、約７４ｍｍである。
【００２２】
（第１の実施の形態の動作）
第１の実施の形態の動作について説明する。
電源を投入すると、モータ６の高速回転によって、モータ出力軸６２、及び放水用羽根車４、並びに放水用羽根車押え金具付空気吸入粉砕用羽根車７が高速で回転する。この時、モータ主力軸６２及び放水用羽根車押え金具付空気吸入粉砕用羽根車７の丈を低くしてあるから、横ぶれ振動の発生が抑止される。
放水用羽根車４と放水用羽根車押え金具付空気吸入粉砕用羽根車７とが回転すると、第２の間隙ｇ２内の処理水（処理後の水）が、処理対象水域に対して勢いよく放出される。
すると、第２の間隙ｇ２の内側の部分や、これに連なる第１の間隙ｇ１や、気水攪拌用空間１Ｓが負圧と成るため、吸水カバー２の吸水孔ｓから、処理対象水域の原水（処理前の水）が吸入され、吸気カバー１の頂壁を貫通する吸気管ｄから、大気中の空気が吸入される。
【００２３】
気水攪拌用空間１Ｓに吸入された空気は、回転する空気吸入粉砕羽根７ｆの攪拌作用によって、吸入された原水と効率よく混合され、無数の気泡となる。それらの気泡は、空気吸入粉砕羽根７ｆの気泡粉砕作用によって、直ちに粉砕され、微細気泡と成る。それらの微細気泡は、第１の間隙ｇ１内を、勢いよく下方に移動する。かくして、第１の実施の形態における空気の吸い込み量は、従来量の数倍（３〜５倍）に達する。
第１の間隙ｇ１を通過した微細気泡は、第２の間隙ｇ２において、回転する放水羽根４Ｆの気泡粉砕作用によって、更に粉砕されて、超微細気泡と成る。
なお、空気吸入粉砕羽根７ｆによる気水混合効率の更なる向上を目指して、吸水孔ｓ１，…，ｓｍの内側の空間と吸気孔ｉとの間を、吸気カバー１の内部を経由して、連通させることが出来る。
【００２４】
水分子Ｈ２Ｏは、周知の通り、電気的に分極しているから、マグネット４Ｍの高速で回転する磁界との相互作用によって、量子力学の意味で、励起される。その結果、水分子のクラスターはより小さくなり、従って超微細気泡中の酸素分子が当該クラスター間に溶け込み易く成る。又、超微細気泡が分割され易くなる。
励起された水分子は、ＯＨ−ラジカルを生成し易く成る。
又、処理水が導電性を有している時は、処理水の導体が移動する磁界を切ることに成るから、当該処理水中に電圧（電流）が発生する。発生する電圧（電流）の大きさは、回転磁界の移動速度に比例することと成る。
以上のことによって、例えば、処理対象水域中のアオコを破壊することが出来る。
【００２５】
〔第２の実施の形態〕
この出願の発明の第２の実施の形態の空気吸入粉砕羽根付水質浄化処理装置について説明する。
図１は、同処理装置の模式的な縦断面図であり、図３は、同処理装置に用いられる放水用羽根車押え金具付空気吸入粉砕用羽根車の模式的な平面図である。
但し、この実施の形態では、３Ｍは未だ規定されない。（それは、第３の実施の形態で規定される）。
図１、図３の空気吸入粉砕羽根７ｆ１の上端部には、二つの切欠きが形成される。（第１の実施の形態では、未だ切欠きを規定していない）。
又、図１、図３の空気吸入粉砕羽根７ｆ２の中位部には、二つの透孔が穿設されている（第１の実施の形態では、透孔は規定されていない）。
しかし、その個数は、一般には、可及的多数個とされる。そして、その直径は例えば１ｍｍの程度である。
空気吸入粉砕羽根７ｆ１が高速で回転すると、その上端部の切欠きは、原水の表層部に激しく波風を立たせることによって、原水への空気（気泡）の混合と拡散を助長する。即ち、空気吸入粉砕羽根７ｆ１自体の気水攪拌作用の上に、切欠きによる気水攪拌作用が重畳されることによって、原水への空気（気泡）の混合が更に効率化されるのである。
【００２６】
又、空気吸入粉砕羽根７ｆ２の中位部にある無数の透孔は、それ自身よりも大なる気泡にぶつかると、その気泡を長楕円形乃至亜鈴形に変形させながら通過させることになるのであるが、そのような変形のために、それの気泡が分裂せしめられることに成る。即ち、空気吸入粉砕羽根７ｆ１自体の気泡粉砕作用の上に、透孔による気泡粉砕作用が重畳されることによって、原水中の気泡が更に微細化されるのである。
空気吸入粉砕羽根７ｆの個数は、一般に２以上の複数個とすることが出来る。
第２の実施の形態のその余の事項は、第１の実施の形態と同様である。
【００２７】
〔第３の実施の形態〕
この出願の発明の第３の実施の形態の空気吸入粉砕羽根付水質浄化処理装置について説明する。図１は、同処理装置の縦断面図である。
図１において、３はガイドカバー、３Ｍ１，…，３Ｍ３，…は何れも、同ガイドカバー３の下面側に埋設されたマグネットである。その余の構成部材については、第１の実施の形態の通りである。
マグネット３Ｍの形状、個数、位置については、格別の制約はないが、着磁方向については、鉛直方向とするのが良い。
従って例えば、条片形の多数の磁性材料を、放射状に埋設しても良く、
小円板形の多数の磁性材料を、幾つかの同心円上に等間隔で埋設しても良く、
鍔（つば）形の１個の磁性材料を、回転対称に埋設しても良い。
第３の実施の形態のその余の事項は、第１の実施の形態と同様である。
【００２８】
〔第４の実施の形態〕
この出願の発明の第４の実施の形態の空気吸入粉砕羽根付水質浄化処理装置について説明する。
図６は、同処理装置の模式的な断面図である。但し、この実施の形態では、４ｓは未だ規定されない。（それは、第５の実施の形態で規定される）。
図６において、４は放水用羽根車、４１は羽根車軸部、７は放水用羽根車押え金具付空気吸入粉砕用羽根車、ｖｖは空気量調節弁である。その他の符号（構成部材）は、第３の実施の形態と同様である。
【００２９】
図６の放水用羽根車押え金具付空気吸入粉砕用羽根車７には、１個の放水用羽根車押え金具７ｗと、４個の空気吸入粉砕羽根７ｆ１，７ｆ２，７ｆ３，７ｆ４とが、含まれる（但し、第２番目の空気吸入粉砕羽根７ｆ２は７ｆ４の陰に在るため図示出来ない）。
【００３０】
各空気吸入粉砕羽根７ｆ１，…は、肉厚の板体から成り、該各板体には、羽根車軸部４１の外周面よりも外方に位置する張出し部が含まれる。各張出し部の下半部は、図７の７ｆｓの如く斜めにカットされ、回転方向斜め下向きの傾斜面７ｆｓ１，７ｆｓ２，７ｆｓ３，７ｆｓ４が形成される。（板体を肉厚にするのはこのためである）。
各傾斜面７ｆｓ１，７ｆｓ２，７ｆｓ３，７ｆｓ４は、回転時にぶつかった気泡を、勢いよく下方に押し放つことと成る。押し放つ力は、回転数と傾斜角の関数である。
空気吸入粉砕羽根７ｆを２以上の複数個としたときは、傾斜面７ｆｓの個数も同じく２以上の複数個となる。
この実施の形態による吸入空気量は、従来量の５〜１０倍となる。
なお、空気量調節弁ｖｖは、吸気管ｄの水上部分の適宜の位置に取り付けられる。これによって、空気吸入量を調節すれば、処理水中の気泡をより微細化することが出来る。
第４の実施の形態のその余の事項は、第２の実施の形態と同様である。
【００３１】
〔第５の実施の形態〕
この出願の発明の第５の実施の形態の空気吸入粉砕羽根付水質浄化処理装置について説明する。
図６は、同処理装置の模式的な縦断面図である。
図６において、４ｓは空気粉砕羽根である。その他の符号（構成部材）は、第４の実施の形態と同様である。
図６では、８個の空気粉砕羽根４ｓが、羽根車軸部４１の円筒面上に、２行４列の形に配列・固定されているが、一般には、行の数を１以上の何れか、列の数を２以上の何れかとすることが出来る。
この実施の形態によれば、気水攪拌用空間１Ｓで形成された無数の気泡は、第１の間隙ｇ１における、多数の空気粉砕羽根４ｓによって、粉砕され、微細化される。
第５の実施の形態のその余の事項は、第４の実施の形態と同様である。
【００３２】
〔第６の実施の形態〕
この出願の発明の第６の実施の形態の空気吸入粉砕羽根付水質浄化処理装置について説明する。図７は、同処理装置の模式的な縦断面図である。
図７において、４′は吐出用羽根車、８は吐出盤である。その他の符号（構成部材）は、第５の実施の形態と同様である。
吐出用羽根車４′には、１個の筒状部材４′ｃ、４個の吐出用羽根４′Ｆとが含まれる。上記筒状部材４′ｃは、モータ出力軸６２の破線部分に嵌合・固定される。各吐出用羽根４′Ｆは、上記筒状部材４′ｃの外周面上の任意の周回円に即して等間隔に配設される。しかして、それらの羽根４′Ｆは、図７の如く斜め下向きに、傾斜せしめられる。
一般に、吐出用羽根４′Ｆが多数のときは、それらを複数行×複数列の形に、配設するのが良い。
【００３３】
吐出盤８は、１個の鍔（つば）形円盤８２と、多数のマグネットＭ１，…とから成る。マグネットＭの形状、個数、位置については、格別の制約はないから、例えば第３の実施の形態と同様にしても、差し支えない。
この実施の形態では、吐出盤８は、固定式である。そのため、処理水の吐出力は、回転する吐出用羽根車４′Ｆによって、与えられる。
第６の実施の形態のその余の事項は、第４の実施の形態と同様である。
【００３４】
〔第７の実施の形態〕
この出願の発明の第７の実施の形態の空気吸入粉砕羽根付水質浄化処理装置について説明する。図８は、同処理装置の模式的な縦断面図である。
図８において、４′ｃは筒状部材、４′ｉｓは空気吸入粉砕羽根、４′Ｆは吐出用羽根、８は吐出盤、８Ｍはマグネットである。
空気吸入粉砕羽根４′ｉｓは、回転によって水面を激しく波立たせて、空気と水とを効率よく混合させ、無数の気泡を発生させること（気水攪拌作用）、羽根の周縁によって気泡を粉砕すること、無数の透孔によって、気泡を分割すること（気泡粉砕作用）、更には、回転方向前側の斜め下向き傾斜面によって、無数の気泡を下方に押し放つこと（気泡押放作用）が出来る。
吐出用羽根４′Ｆ及び吐出盤８の機能は、第６の実施の形態（図７）のそれらと同様である。
この実施の形態によれば、筒状部材４′ｃの回りの慣性モーメントが最小となるから、モータの最速回転速度（例えば１０，０００ｒｐｍ）が達成される。
第７の実施の形態のその余の事項は、第６の実施の形態（図７参照）と同様である。
【００３５】
〔第８の実施の形態〕
この出願の発明の第８の実施の形態の空気吸入粉砕羽根付水質浄化処理装置について説明する。図９は、同処理装置の模式的な縦断面図である。（但し、この実施の形態では、４ｓは未だ規定されない。それは、第９の実施の形態で規定される）。図９において、４は放水用羽根車、６１はモータ本体、６２はモータ出力軸である。
モータ本体６１は、最上部に配設され、そこからモータ出力軸６２が下方に延長される。４１は羽根車軸部、４２は羽根車円板部、４Ｍはマグネット、４Ｆは放水用羽根、４ｉｓは空気吸入粉砕羽根、４ｓは空気粉砕羽根、ｄは吸気管、ｖｖは空気量調節弁である。
この実施の形態によれば、モータ本体６１は、水面上に置く（図示の水面１参照）ことも出来るし、水面下に置く（図示の水面２参照）ことも出来る。
その他の符号（構成部材）は、第１の実施の形態と同様である。
【００３６】
この実施の形態では、吸水カバー１の中心部が、羽根車軸部４１によって貫通されているため、吸気管ｄは、図示の如く偏心した位置に配設される。
放水用羽根車４が回転すると、処理水が下の矢印の如く放出され、それによって、羽根車軸部４１寄りの空隙が負圧と成るから、原水が上の矢印の如く吸入される。
空気は、吸気管ｄを介して吸入され、気水攪拌用空間（図１の符号１Ｓの参照）に至り、空気吸入粉砕羽根４ｉｓの気水攪拌作用によって、効率よく原水と混合され、無数の気泡となる。それらの気泡は、回転する空気吸入粉砕羽根４ｉｓの下側の傾斜面によって、下方に強く押し放たれる。これによって、吸入空気量は、従来量の１０倍近くに達することと成る。
第８の実施の形態のその余の事項は、第４の実施の形態と同様である。
【００３７】
〔第９の実施の形態〕
この出願の発明の第９の実施の形態の空気吸入粉砕羽根付水質浄化処理装置について説明する。図９は、同処理装置の模式的な縦断面図である。
図９において、４ｓは空気粉砕羽根である。空気粉砕羽根４ｓの機能は、第５の実施の形態のそれと同様である。これによって、更なる気泡の微細化を達成することが出来る。
第９の実施の形態のその余の事項は、第１の実施の形態と同様である。
【００３８】
〔第１０の実施の形態〕
第１０の実施の形態について説明する。
この出願の発明の第１０の実施の形態の空気吸入粉砕羽根付水質浄化処理装置について説明する。図１０は、同処理装置の模式的な縦断面図である。
図１０において、４′ｃは筒状部材、４′ｉｓは空気吸入粉砕羽根、４′Ｆは吐出用羽根、８は吐出盤、８Ｍはマグネットである。
空気吸入粉砕羽根４′ｉｓの機能は、第８〜９の実施の形態（図８〜９参照）のそれと同様である。
吐出用羽根４′Ｆ及び吐出盤８の機能は、第６の実施の形態（図７参照）のそれらと同様である。
この実施の形態によれば、筒状部材４′ｃの回りの慣性モーメントが最小であるから、モータ６の最速回転速度（例えば１０，０００ｒｐｍ）を達成することが出来る。
第１０の実施の形態のその余の事項は、第６の実施の形態（図７参照）と同様である。
【００３９】
〔第１１の実施の形態〕
この出願の発明の第１１の実施の形態の空気吸入粉砕具付水質浄化処理装置について説明する。図１１は、同処理装置の説明図であって、（ａ）はその模式的な縦断面図、（ｂ）は同処理装置に使用される空気吸入粉砕具の平面図である。図１１において、４は放水用羽根車、７は放水用羽根車押え金具付空気吸入粉砕具である。
放水用羽根車押え金具付空気吸入粉砕具７は、底部７ｗと、円筒部７ｃとから成る。底部７ｗは、図示の如くモータ出力軸６２の頂部に取り付けられることによって、放水用羽根車押え金具として機能する。
円筒部７ｃは、円筒面全体に亙って無数の透孔７ｈ，…が穿設され、回転せしめられることによって、空気吸入粉砕具として機能する。
図１１のその他の符号（構成部材）は、図１の符号と同義である。
【００４０】
放水用羽根車が回転することによって、処理水が外向きの矢印の如く外方に放出されると、円筒部材７ｃの外側が負圧と成る。このため、円筒部材７ｃの内側と外側の間に圧力差が生じる。また、円筒部７ｃの内側の物質（即ち水と空気）には、それ自身の回転速度に比例した遠心力が作用する。
かくして、円筒部７ｃの内側の空気（気泡）は、各透孔７ｈ，…内を強制的に通過せしめられ、分割され、細かな気泡と成って、円筒部７ｃの外側の原水中に拡散して行く。
第１１の実施の形態のその余の事項は、第１の実施の形態（図１参照）と同様である。
【００４１】
〔第１２の実施の形態〕
第１２の実施の形態を成す空気吸入粉砕羽根付水質浄化処理装置について説明する。
この実施の形態は、上記各実施の形態における金属製諸部材の表面に対して、「ＭＨ処理」を施して、それらの金属の表面には例えば２０〜３０マイクロメータの硬化皮膜を、金属の内部には例えば１０〜２０マイクロメータの硬化層を形成したものである。
この実施の形態によれば、部材表面の腐食や損耗を完全に防止することが出来る。従って、オゾン水や、オゾンエアーを用いたときでも、装置の腐食や損耗の虞（おそれ）が無くなる。
ここに、「ＭＨ処理」とは、株式会社マシンパーツ（徳島県板野郡松茂町豊久開拓５００−５）によって開発され、且つ発売されている最新の技術であって、既存の形彫放電加工機を用いて、非常に固いセラミック系の材料を、金属表面内部に混入させる技術である。
（白金メッキはコストが高くつき、且つ困難である。クロムメッキは、使用中に局所的な膨れ出しが生じて、寿命が短かく成ると言う問題点がある。）
【００４２】
〔第１３の実施の形態〕
第１３の実施の形態について説明する。
この実施の形態は、前記第１２の実施の形態の空気吸入粉砕羽根付水質浄化処理装置の中に、吸気管から、オゾンエアーを送り込むことによって、オゾン水を生成させることが出来る。これによれば、処理水の滅菌作用を高めることが出来る。例えば、塩素処理では容易に死滅しないクリプトスポリジウムのような菌であっても、滅菌することが可能に成る。
【００４３】
〔第１４の実施の形態〕
第１４の実施の形態について説明する。
この実施の形態は、前記第１２の実施の形態の空気吸入粉砕羽根付水質浄化処理装置の中に、オゾンエアーと単なるエアーとを、タイマーで切り換えて、交互に送り込むことによって、活性酸素Ｏ−を、効率的に発生させる。
この活性酸素Ｏ−によれば、種々の有害物質（例えばダイオキシンやＰＣＢ、トリクロロエチレン等）を分解することが出来る。又、メッキ工程や染色工程からの廃水中の残存成分を分解したり、脱色したりすることが出来る。
更に、有害物質で汚染された土地から、当該有害物質を含む地下水を汲み上げて、この実施の形態の空気吸入粉砕羽根付水質浄化処理装置の中に送り込むことによって、当該地下水中の有害物質を分解することが出来る。そこで、この操作を反復すれば、ついには汚染された土地全体を浄化することが出来る。
【００４４】
〔その他の実施の形態〕
その他の実施の形態について説明する。
（１）図１の羽根車軸部４１の外周面上に、吸入空気粉砕羽根が設けられる。これによって、気泡の微細化が助長される。
（２）放水用羽根車押え金具付空気吸入粉砕用羽根車７の全部又は一部をマグネット化することが出来る。これによって、空気吸入粉砕羽根７ｆにも電磁誘導作用を付加することが出来る。
（３）前記各実施の形態における吸気カバー１、導水カバー３、放水用羽根車４、吐出用円盤８の全部又は一部を磁性材料で作成し、必要な部分だけを磁化するようにする。このようによれば、部品点数を削減することが出来る。
（４）水路の至る所に、可能な限りマグネットが埋設される。
（５）気泡が潰れる時は、超音波が発生し、局所的に発熱し、局所的瞬間的には１８００〜２０００°Ｃに達することもある（このことは、発熱に伴う発光現象の観測によって、実証されている）。そこで、この現象を利用して、吸入した原水中の微生物の滅菌を助長することが出来る。
【００４５】
【発明の効果】
この出願の発明は、以上の様に構成したから、下記（ａ）〜（１）の通り、顕著な効果を奏することが出来る。
（ａ）高速で回転する空気吸入粉砕羽根７ｆの空気吸入作用と空気（気泡）粉砕作用によって、空気吸入量が従来量の数倍（３〜５）に高められる。又、処理水中の気泡が更に微細化される。
（ｂ）モータ出力軸６２の高さ＋放水用羽根車押え金具付空気吸入粉砕用羽根車７の高さが、従来の回転軸ｊの高さの数分の１に短縮される。そのため、材料コスト及び加工コストが大幅に削減される。
（ｃ）モータ出力軸６２の横振れ振動が抑制される。そのため、モータ６の回転数を大幅に上昇させることが出来る。又、モータ６の短命化が防止される。
【００４６】
（ｄ）モータ出力軸６２の横振れ振動が抑制されるから、ガイドカバー３の下面と放水羽根４Ｆとの間隙、並びにガイドカバー３の下面と放水用羽根車４の上面との間隙（第２の間隙ｇ２）を、精度を上げて、縮小することが出来る（例えば１ｍｍ以下にすることが出来る）。かくして、磁気ギャップの短縮によって磁界を強化し、磁界と処理水との相互作用を、従来例よりも、大幅に強化することが出来る。
（ｅ）処理水中の気泡数が増加し、気泡径が微細化し、依って以って気水接触面積が増加するから、処理水中の溶存酸素量も大幅に増加する。
【００４７】
（ｆ）放水用羽根車４と放水用羽根車押え金具付空気吸入粉砕用羽根車７とを横振れ振動無しに高速で回転させることによって、磁界の移動速度を従来よりも遥かに高速化することが出来るから、Ｈ２Ｏを高いエネルギで励起させ、ＯＨ−ラジカルを発生させることが出来る。従って、滅菌脱色の効果も見られる。
（ｇ）処理対象水が導電性を有しているときは、導体としての水が高速で移動する磁束を切ることに成るから、処理水中に電流を発生させることが出来る。この電流によっても、処理水中の水分子を、高いエネルギで、励起させることが出来る。
【００４８】
（ｈ）横振れ振動の発生が抑止されているから、モータの回転数を大幅に増加させることが出来る。
（ｉ）広大な処理対象水域を少ない台数で（低コストで）浄化することが出来る。
（ｊ）有害物質（例えばダイオキシン、ＰＣＢ）を分解することが出来る。
（ｋ）有害物質で汚染された土地を浄化することが出来る。
（１）汚水の脱色、脱臭、殺菌を行うことが出来る。
【図面の簡単な説明】
【図１】この出願の発明の第１、第２及び第３の実施の形態の空気吸入粉砕羽根付水質浄化処理装置の縦断面図である。
【図２】同第１、第２及び第３の実施の形態の空気吸入粉砕羽根付水質浄化処理装置の平面図である。
【図３】同第１、第２及び第３の実施の形態に使用される放水用羽根車押え金具付空気吸入粉砕用羽根車の平面図である。
【図４】同第１、第２及び第３の実施の形態に使用される放水用羽根車押え金具付空気吸入粉砕用羽根車の一の例を示す水平断面図である。
【図５】同第１、第２及び第３の実施の形態に使用される第２の放水用羽根車押え金具付空気吸入粉砕用羽根車の他の例を示す水平断面図である。
【図６】この出願の発明の第４及び第５の実施の形態の空気吸入粉砕羽根付水質浄化処理装置の模式的な断面図である。
【図７】この出願の発明の第６の実施の形態の空気吸入粉砕羽根付水質浄化処理装置の模式的な断面図である。
【図８】この出願の発明の第７の実施の形態の空気吸入粉砕羽根付水質浄化処理装置の模式的な断面図である。
【図９】この出願の発明の第８及び第９の実施の形態の空気吸入粉砕羽根付水質浄化処理装置の模式的な断面図である。
【図１０】この出願の発明の第１０の実施の形態の空気吸入粉砕羽根付水質浄化処理装置の模式的な断面図である。
【図１１】この出願の発明の第１１の実施の形態の空気吸入粉砕羽根付水質浄化処理装置の説明図である。
【図１２】従来の水質浄化処理装置の縦断面図である。
【符号の説明】
１　　吸気カバー
１Ｓ　気水攪拌用空間
２　　吸水カバー
３　　ガイドカバー
３Ｍ　マグネット
４　　放水用羽根車
４１　羽根車軸部
４２　羽根車円板部
４Ｆ　放水羽根
４Ｍ　マグネット
４ＭＭ　磁性部材
４′　吐出用羽根車
４′ｃ　筒状部材
４′ｉｓ　空気吸入粉砕羽根
４′ｓ　空気粉砕羽根
４′Ｆ　吐出用羽根
５　　モータベース
６　　モータ
６１　モータ本体
６２　モータ出力軸
７　　放水用羽根車押え金具付空気吸入粉砕用羽根車
７ｗ　放水用羽根車押え金具
７ｆ　空気吸入粉砕羽根
７ｈ　透孔
７ｎ　切欠き
７ｂ　張出し部
７ｆｓ　傾斜面
７ｃ　円筒部材
８　　吐出盤
ｄ　　吸気管
ｉ　　吸気孔
ｓ　　吸水孔
Ｂ　　ボルト
Ｆ　　フランジ
【図１】
2004009042.tif 000003
【図２】
2004009042.tif 000004
【図３】
2004009042.tif 000005
【図４】
2004009042.tif 000006
【図５】
2004009042.tif 000007
【図６】
2004009042.tif 000008
【図１１】
2004009042.tif 000009
【図７】
2004009042.tif 000010
【図８】
2004009042.tif 000011
【図９】
2004009042.tif 000012
【図１０】
2004009042.tif 000013
【図１２】
2004009042.tif 000014